(57)【要約】【課題】比較的簡単な構成としながらも、リントを捕獲するフィルタ部材の清掃を容易に行う。【解決手段】本実施形態の衣類乾燥機においては、フィルタユニットは、乾燥風循環ダクトに接続する乾燥風の入口部及び出口部を有するケースと、ケースの上面に設けられ該フィルタユニットの本体への装着状態で取出口を塞ぐフィルタパネルと、ケースのフィルタ部材取付壁に設けられリントを捕獲するフィルタ部材と、ケース内に移動可能に設けられ移動によりフィルタ部材に堆積していたリントを掻き取る清掃部材と、清掃部材を移動させて掻き取り動作を行わせる操作部材とを備えると共に、操作部材は、フィルタパネルよりも下方であって、上下方向に見て取出口の内側に配置されている。【選択図】図１
2019030507.tif 000002
【特許請求の範囲】
【請求項１】
本体内に設けられ衣類が収容される収容槽と、
前記本体内に設けられ前記収容槽に対し乾燥風を循環供給させる乾燥風循環ダクトと、
前記本体の上面部の取出口から出し入れ可能に設けられ該本体への装着状態で前記乾燥風循環ダクトの途中部に配置されて乾燥風に含まれるリントを捕獲するフィルタユニットとを備える衣類乾燥機であって、
前記フィルタユニットは、
前記乾燥風循環ダクトに接続する乾燥風の入口部及び出口部を有するケースと、
前記ケースの上面に設けられ該フィルタユニットの前記本体への装着状態で前記取出口を塞ぐフィルタパネルと、
前記ケースのフィルタ部材取付壁に設けられリントを捕獲するフィルタ部材と、
前記ケース内に移動可能に設けられ移動により前記フィルタ部材に堆積していたリントを掻き取る清掃部材と、
前記清掃部材を移動させて掻き取り動作を行わせる操作部材とを備えると共に、
前記操作部材は、前記フィルタパネルよりも下方であって、上下方向に見て前記取出口の内側に配置されている衣類乾燥機。
【請求項２】
前記フィルタユニットには、前記取出口との間を気密にシールするための上部用パッキンが設けられており、
前記操作部材は、前記上部用パッキンよりも下方であって、上下方向に見て該上部用パッキンの内側に配置されている請求項１記載の衣類乾燥機。
【請求項３】
前記フィルタユニットのケースには、前記操作部材の配置側の側面に位置して、ユーザが前記操作部材を操作する際に、該操作部材を押圧する指とは別の指を掛けるための指掛け凹部が設けられている請求項１又は２記載の衣類乾燥機。
【請求項４】
前記指掛け凹部は、前記操作部材の押圧部分よりも下側で、且つ、前記リントを排出する排出口となる前記入口部側に位置して設けられている請求項３記載の衣類乾燥機。
【請求項５】
前記フィルタユニットには、前記ケースの入口部に、フィルタカバーが開閉可能に設けられると共に、前記フィルタカバーの外面周囲部には、該フィルタユニットの前記本体への装着状態で該本体側のダクト周囲壁部に密着して前記乾燥風循環ダクトの気密状態を保持する風路用パッキンが設けられ、
前記操作部材が操作されると、前記清掃部材の移動と連動して前記フィルタカバーが開放されると共に、該フィルタカバーが開放状態から閉塞されると、前記清掃部材及び操作部材が元の位置に戻るように構成されていると共に、
前記フィルタカバーの不完全な閉塞状態にあっても、前記フィルタユニットが、前記本体に装着されることに伴い、前記ダクト周囲壁部が該フィルタカバーを相対的に押圧して、閉塞状態とさせるように構成されている請求項１から４のいずれか一項に記載の衣類乾燥機。
【請求項６】
前記ダクト周囲壁部には、突起部が設けられ、
前記フィルタカバーの不完全な閉塞状態にあって、前記フィルタユニットが前記本体に装着された際に、前記突起部が該フィルタカバーを相対的に押圧して、閉塞状態とさせるように構成されている請求項５記載の衣類乾燥機。
【請求項７】
前記フィルタカバーには、凸形状のリブが設けられ、
前記フィルタカバーの不完全な閉塞状態にあって、前記フィルタユニットが前記本体に装着された際に、前記リブが前記ダクト周囲壁部を相対的に押圧して、該フィルタカバーを閉塞状態とさせるように構成されている請求項５記載の衣類乾燥機。
【請求項８】
前記フィルタユニットが前記本体の中央よりも右側に配置されている場合には、前記操作部材は、前記ケースの左側面に設けられ、
前記フィルタユニットが前記本体の中央よりも左側に配置されている場合には、前記操作部材は、前記ケースの右側面に設けられている請求項１から７のいずれか一項に記載の衣類乾燥機。
【発明の詳細な説明】
【技術分野】
【０００１】
本発明の実施形態は、衣類乾燥機に関する。
【背景技術】
【０００２】
衣類が収容された収容室内に温風を供給して乾燥させる衣類乾燥機においては、衣類から出るリントと称される糸くずが機外に放散したり、熱交換器部分に進入したりすることを防止するために、風路中にリントを捕獲するフィルタを設けることが行われる。この場合、フィルタが目詰まりして風量が低下することを防止するために、一般に、ユーザが、ブラシや布などを用いて定期的にフィルタの清掃作業を行って、堆積したリントを取除くようにしている。また、従来の衣類乾燥機においては、リント捕獲用のフィルタの清掃を自動で行うリント除去装置を設けることも考えられていた（例えば特許文献１参照）。
【先行技術文献】
【特許文献】
【０００３】
【特許文献１】特許第６０４３９４５号公報
【発明の概要】
【発明が解決しようとする課題】
【０００４】
従来では、ユーザにとって、フィルタの清掃作業に手間が掛かるものであったり、モータ駆動式のリント除去装置を設けるため、構成が複雑で高価となったりしていた。
そこで、比較的簡単な構成としながらも、リントを捕獲するフィルタ部材の清掃を容易に行うことができる衣類乾燥機を提供する。
【課題を解決するための手段】
【０００５】
本実施形態の衣類乾燥機は、本体内に設けられ衣類が収容される収容槽と、前記本体内に設けられ前記収容槽に対し乾燥風を循環供給させる乾燥風循環ダクトと、前記本体の上面部の取出口から出し入れ可能に設けられ該本体への装着状態で前記乾燥風循環ダクトの途中部に配置されて乾燥風に含まれるリントを捕獲するフィルタユニットとを備える衣類乾燥機であって、前記フィルタユニットは、前記乾燥風循環ダクトに接続する乾燥風の入口部及び出口部を有するケースと、前記ケースの上面に設けられ該フィルタユニットの前記本体への装着状態で前記取出口を塞ぐフィルタパネルと、前記ケースのフィルタ部材取付壁に設けられリントを捕獲するフィルタ部材と、前記ケース内に移動可能に設けられ移動により前記フィルタ部材に堆積していたリントを掻き取る清掃部材と、前記清掃部材を移動させて掻き取り動作を行わせる操作部材とを備えると共に、前記操作部材は、前記フィルタパネルよりも下方であって、上下方向に見て前記取出口の内側に配置されている。
【図面の簡単な説明】
【０００６】
【図１】第１の実施形態を示すもので、洗濯乾燥機の外観を示す正面図
【図２】洗濯乾燥機の上面図
【図３】上部ダクト部分の縦断右側面図
【図４】フィルタユニットを取出した状態の上部ダクト部分の縦断右側面図
【図５】フィルタユニットの左側面図
【図６】フィルタユニットの背面図
【図７】フィルタユニットのフィルタカバーを閉じた状態の正面図
【図８】フィルタユニットのフィルタカバーを開いて清掃部材が最下位置にある状態の正面図
【図９】フィルタユニットのフィルタカバーを除いて示す斜視図
【図１０】フィルタユニットの縦断左側面図
【図１１】図１０のＥ部の拡大縦断面図
【図１２】移動機構収容部の外壁を取除いて操作部材の通常位置を示す側面図とその位置に対応する清掃部材の待機位置を示す縦断側面図とを上下に並べて示す図
【図１３】移動機構収容部の外壁を取除いて操作部材の移動途中の位置を示す側面図とその位置に対応する清掃部材の最下位置を示す縦断側面図とを上下に並べて示す図
【図１４】移動機構収容部の外壁を取除いて操作部材の押込み位置を示す側面図とその位置に対応する清掃部材の跳上げ位置を示す縦断側面図とを上下に並べて示す図
【図１５】図１４の要部の拡大縦断面図
【図１６】清掃部材のブレードの左右位置における厚み寸法の変動の様子を示す横断面図（図８のＢ−Ｂ線に沿う断面図）
【図１７】第２の実施形態を示すもので、ブレードの左右位置における厚み寸法の変動の様子を示す横断面図
【発明を実施するための形態】
【０００７】
以下、洗濯機能及び乾燥機能を有するドラム式の洗濯乾燥機に適用した第１の実施形態について、図１から図１６を参照しながら説明する。図１、図２は、本実施形態に係る衣類乾燥機としてのドラム式の洗濯乾燥機の外観を示している。洗濯乾燥機の本体（外箱）１は、ほぼ矩形箱状をなし、底部に台板２が設けられている。本体１の前面部には、ほぼ中央部に位置して、衣類が出し入れされる円形状の出入口３が設けられていると共に、その出入口３を開閉するため扉４が開閉可能に取付けられている。本体１の上面部の前部には、操作パネル５が設けられている。また、本体１の上部の左端側に位置して洗剤投入ケース６が設けられている。
【０００８】
図示は省略するが、本体１内には、周知のように、次のような機構が設けられている。即ち、本体１内には、前面が開口したほぼ円筒状をなし前記出入口３に連通する水槽が設けられると共に、その水槽内に、衣類が収容される収容槽としてのドラムが設けられる。水槽は、台板２上に弾性支持機構を介して弾性的に支持されている。前記ドラムは、前記水槽よりもやや径小な円筒状をなし、その背面側中心部が、モータ等からなる駆動機構に接続されて回転駆動されるようになっている。また、本体１内には、水槽の上方に位置して該水槽内へ給水するための給水機構が設けられている。水槽の後部の底部には排水口が設けられていて、この排水口に、排水弁を介して排水管が接続されている。
【０００９】
前記水槽には、前部の上面右寄り部位に空気の排出口が設けられていると共に、背面部の左寄り部位に空気の供給口が設けられている。そして、全体としての詳しい図示はしないが、本体１内の前記水槽の外部には、前記ドラム内に乾燥用の温風を循環供給するための乾燥風循環ダクトが設けられている。この乾燥風循環の入口が水槽の前記排出口に接続され、出口が水槽の前記供給口に接続されている。前記乾燥風循環ダクトは、前記水槽の排出口から上方に延びた後、後方に折曲がり、本体１内の上部の右側辺部を後方に向けて延びている。
【００１０】
このとき、図３、図４に示すように、乾燥風循環ダクトのうち本体１内の上部の右側辺部を後方に延びる部分を上部ダクト８と称する。図３に示すように、この上部ダクト８部分に、フィルタユニット７が設けられる。上部ダクト８は、断面矩形状をなし、フィルタユニット７の配置部分の上壁部に矩形開口部８ａが形成されている。フィルタユニット７の構成については後述する。乾燥風循環ダクトは、フィルタユニット７部分、つまり上部ダクト８部分から更に後方に延びた後、水槽の背面側を下方に折曲がって延び、Ｕ字状に折返されて前記水槽の供給口に接続されている。
【００１１】
この乾燥風循環ダクトの途中部の上部ダクト８よりも下流部に、除湿部及び温風供給装置が設けられる。前記除湿部は、例えば熱交換即ち水冷除湿により乾燥風に含まれる湿気を結露させて除湿を行うように構成されている。前記温風供給装置は、ファン装置及びヒータを備えて構成されている。尚、除湿部及び温風供給装置としては、ヒートポンプを用いるようにしても良い。
【００１２】
これにて、乾燥運転時に温風供給装置が駆動されると、水槽内の空気即ち乾燥風が、排出口から乾燥風循環ダクト内に吸込まれ、図３に矢印Ａで示すように、上部ダクト８のフィルタユニット７を通って後方に流れ、除湿部で除湿された後、ヒータで加熱され、温風となって供給口から水槽内に供給されるといった循環を行う。このとき、乾燥風がフィルタユニット７を通る際に、乾燥風に含まれていたリントが捕獲される。
【００１３】
さて、フィルタユニット７及びその周辺の構成について、図３〜図１６も参照して述べる。ここで、図３、図４に示すように、前記本体１の上面部には、前記上部ダクト８の矩形開口部８ａの上方に連通するように、該矩形開口部８ａよりも一回り大きい矩形状の取出口９が形成されている。その取出口９と矩形開口部８ａとの間は、段差部９ａを介して繋がった形態とされている。前記フィルタユニット７は、大きく分けて、上部ダクト８内に配置されるケース１０と、このケース１０の上面に設けられ前記取出口９を塞ぐように配置されるフィルタパネル１１とを備えて構成される。フィルタユニット７は、本体１に対し、取出口９の上方から着脱可能言い換えれば出し入れ可能に装着される。
【００１４】
図３、図４に示すように、前記上部ダクト８内には、バックアップフィルタ部１２が設けられている。このバックアップフィルタ部１２は、格子状に構成されたプラスチック製の枠状部１３と、その枠状部１３の開口部を塞ぐように設けられた例えば不織布からなるフィルタ部材１４とから構成される。枠状部１３は、前記矩形開口部８ａの下方に位置して上部ダクト８内の底部近くに浮上って配置される矩形板状の底面部と、その底面部の後辺から上方に立上がり前記矩形開口部８ａの後辺部につながる矩形板状の背面部とを一体に有した側面ほぼＬ字状の板状、つまり格子枠状に構成されている。これにて、上部ダクト８内には、該上部ダクト８の左右の側壁とバックアップフィルタ部１２とにより、取出口９の下方部にフィルタユニット７のケース１０が収容される空間が形成される。
【００１５】
図５〜図９等にも示すように、前記フィルタユニット７のケース１０は、プラスチックからなり、左右の側壁部及び上壁部を有し、底壁部及び後壁部が、側面から見てほぼ円弧状に連なるようなフィルタ部材取付壁１０ａとされ、前面が開口した、正面から見てやや横長な矩形状をなすような箱状に構成されている。ケース１０の上壁部は、一部分、この場合前部寄り部分が横長に開口している。ケース１０の上面に重なるように、前記フィルタパネル１１が設けられている。図６、図９、図１２〜図１４にも示すように、前記フィルタ部材取付壁１０ａは、縦横に複数本のリブを有してリブ間に複数の矩形の開口部を有した格子枠状に構成されている。フィルタ部材取付壁１０ａの複数の開口部を裏面側から塞ぐように、例えば不織布から構成されたフィルタ部材１５が設けられている。
【００１６】
図３に示すように、フィルタユニット７の本体１への装着状態では、このケース１０の前面開口部が、上部ダクト８の開口部に連なるように配置され、この前面開口部が乾燥風の入口部１６となる。また、ケース１０のフィルタ部材取付壁１０ａが、バックアップフィルタ部１２の内側の上部手前側に配置され、フィルタ部材取付壁１０ａの開口部が乾燥風の出口部となる。フィルタユニット７のケース１０内を乾燥風の通過する際に、乾燥風に含まれるリントが、フィルタ部材１５により捕獲される。尚、乾燥風に含まれていたリントの一部がフィルタ部材１５に捕獲されずに通過した場合でも、そのリントはバックアップフィルタ部１２のフィルタ部材１４にて捕獲される。
【００１７】
ケース１０の前面の入口部１６には、図７、図８等に示すように、プラスチック製のフィルタカバー１７が設けられる。このフィルタカバー１７は、矩形枠状をなすと共に、その内部に十字状に桟１７ａを一体に有する形態をなし、その前面の外面周囲部には、図１０、図１１にも示すように、矩形枠状をなす風路用パッキン１８が、プラスチック製のパッキン押え１９によって取付けられている。図３に示すように、フィルタユニット７の本体１への装着状態では、フィルタカバー１７の風路用パッキン１８が、上部ダクト８のダクト周囲壁部２０に密着することにより、上部ダクト８の気密状態が保持される。
【００１８】
このフィルタカバー１７は、その下辺部にてヒンジ部１７ｂ（図８等参照）を介してケース１０に回動可能に支持されている。これにて、フィルタカバー１７は、ケース１０の前面の入口部１６周囲に当接する閉塞状態（図７、図１２参照）と、入口部１６を開放させる開放状態（図８、図１４参照）との間で、開閉可能に設けられている。
【００１９】
詳しく図示はしないが、フィルタカバー１７の閉塞状態で、フィルタカバー１７に設けられた係合部が、ケース１０側に設けられた被係合部と係合状態となり、それらの間の摩擦力によりフィルタカバー１７の閉塞状態が保持されるようになっている。ユーザがフィルタカバー１７の上部を手前側に引っ張れば、その係合は容易に解除される。更に、詳しくは後述するが、図６、図８等に示すように、ケース１０の左側壁部には、左右方向に薄型の移動機構収容部２１が一体的に設けられている。この移動機構収容部２１は、ケース１０の内面を構成する左側壁部の外側に、外板部２１ａを備えて構成されている。
【００２０】
前記フィルタパネル１１は、図３、図９等に示すように、プラスチックから薄型矩形箱状に構成されると共に、周壁部全体が前記取出口９の段差部９ａに対応した段差状に構成された薄型矩形箱状をなし、ケース１０の上面に取付けられている。このとき、図２にも示すように、フィルタパネル１１の上面には、やや横長な矩形状をなす手掛け用の穴部１１ａが形成されていると共に、その穴部１１ａを閉塞するフラップ２２が開閉可能に設けられている。また、図３などに示すように、フィルタパネル１１の下端部の周縁部には、上部ダクト８の矩形開口部８ａとの間を密に閉塞するための上部用パッキン２３が設けられている。
【００２１】
これにて、通常時即ち洗濯乾燥機の使用時には、図３に示すように、フィルタパネル１１が段差部９ａ内に嵌め込まれてフィルタユニット７が本体１に装着されることにより、ケース１０が上部ダクト８内のバックアップフィルタ部１２の上方に収容されている。このとき、上部用パッキン２３や風路用パッキン１８により、上部ダクト８の気密状態が保持される。これにより、乾燥風循環ダクトの上部ダクト８を矢印Ａ方向に流れる乾燥風が、ケース１０の入口部１６からフィルタ部材１５を通り、リントがフィルタ部材１５の表面にて捕獲される。
【００２２】
さて、本実施形態では、前記フィルタユニット７には、前記フィルタ部材１５の清掃を行うための清掃部材２４、ユーザにより操作される操作部材２５、操作部材２５の操作により清掃部材２４を移動させる移動機構２９が設けられる。そのうち清掃部材２４は、前記ケース１０内に位置して設けられ、回動によって、前記フィルタ部材取付壁１０ａに沿って移動し、フィルタ部材１５の表面に堆積していたリントを掻き取るように構成されている。具体的には、清掃部材２４は、図８、図１２〜図１５に示すように、矩形枠状をなす支持体２６と、この支持体２６の下辺部に取付けられたゴム製のブレード２７とを備えている。
【００２３】
前記支持体２６は、図８に示すように、プラスチックから矩形板状に構成され、中央部に矩形の開口部２６ａを有している。前記ブレード２７は、図８、図１４、図１５等に示すように、図で左右方向に長い矩形薄板状をなす板状部と、その板状部の先端辺部（図８等で下辺部）に設けられ断面が丸みを帯びた掻き取り部２７ａとを一体に有して構成される。板状部の上辺部が前記支持体２６の下辺部に固着されている。
【００２４】
清掃部材２４は、前記支持体２６の上辺部の左端部が、ケース１０の左の内側の壁のうち前部寄りの上部に配置された回動軸２８（図１０参照）に連結されていると共に、前記支持体２６の上辺部の右端部が、ケース１０の右側壁部に回動可能に支持されている。前記回動軸２８は、ケース１０の内側の壁部を貫通して、先端が移動機構収容部２１内に位置され、移動機構２９を構成する駆動ギア３０（図１２〜図１４参照）に連結されている。このとき、清掃部材２４の縦方向の長さ寸法及び前記回動軸２８の位置は、ブレード２７の先端の掻き取り部２７ａが前記フィルタ部材取付壁１０ａのフィルタ部材１５に沿ってその表面をなぞるように（図１５に軌跡Ｌを示す）、フィルタ部材１５の湾曲、つまり曲率半径に対応している。
【００２５】
これにて、清掃部材２４は、図１２に示すような、ケース１０内の天井部つまりフィルタパネル１１の下面部に配置される待機位置、図１３に示すような、ケース１０内の入口部１６付近まで回動された最下位置、図１４に示すような、その最下位置を通り越して前方に跳上げ位置、の間で回動可能とされる。後述する移動機構２９により、清掃部材２４が待機位置から最下位置を通り、跳上げ位置まで移動この場合回動されることにより、ブレード２７の掻き取り部２７ａがフィルタ部材１５の表面に沿って矢印Ｃ方向に移動し、リントの掻き取り動作が実行される。図８は、清掃部材２４の最下位置における正面から見た様子を示しており、開口部２６ａによって入口部１６側と出口部側とが連通している。
【００２６】
このとき、図１４、図１５に示すように、ケース１０のフィルタ部材取付壁１０ａは、入口部１６に近い位置即ち下部の前端部でほぼ水平方向に延びており、清掃部材２４の先端部のブレード２７の掻き取り部２７ａの回動軌跡Ｌから外れるようになっている。そのため、図９に示すように、フィルタ部材取付壁１０ａの前端部は、開口部が形成されておらず、その上面は、フィルタ部材１５が存在しない平滑面１０ｂとなっている。また、本実施形態では、図１６に示すように、前記ブレード２７の板状部の厚み寸法ｔが、左右方向に位置により相違するように構成され、回転軸２８が存在する側である左側が比較的薄く、右側に行くほど次第に厚くなっていくように変動する。
【００２７】
尚、本実施形態では、図１０、図１１、図１５等に示すように、前記フィルタパネル１１の下面部には、前記ケース１０の上壁部の開口を通してケース１０内に嵌り込み、前記清掃部材２４の上端部の回動軸２８部分の入口部側つまり前側に配置される突出壁３８が、左右方向に延びて一体に設けられている。更に本実施形態では、前記ケース１０と前記フィルタパネル１１との間の接合部分に、風漏れ防止用の内部パッキン３９が設けられている。
【００２８】
前記操作部材２５は、図１２〜図１４等に示すように、左右方向に薄く前後方向に長いレバー状をなし、前記移動機構収容部２１内に配置されている。この操作部材２５は、前後方向に延びる長孔３１を有しており、その長孔３１内に、移動機構収容部２１内に設けられた前後２個のピン３２、３２が配置される。これにより、操作部材２５は、移動機構収容部２１内を前後方向に移動可能に支持され、且つその移動範囲が規制されている。また、操作部材２５の後側の端部が、ユーザにより押圧操作される押圧部２５ａとされ、前側の端部が、湾曲した凹状をなす押出し部２５ｂとされる。
【００２９】
そして、この操作部材２５の上縁部には、前後方向に山谷を交互に有する歯部３３が形成されている。この歯部３３が、前記駆動ギア３０の歯部に噛み合っている。このように構成された移動機構２９により、操作部材２５が前後方向に移動されると、駆動ギア３０が回転され、回転軸２８を介して清掃部材２４が回動されるようになっている。この場合、図１２に示すように、操作部材２５が最も奥側の位置にあるときに、清掃部材２４が待機位置に位置している。その状態から、操作部材２５が前方（矢印Ｄ方向）に向けて押圧操作されると、図１３に示される中間的な状態で、清掃部材２４が最下位置に移動する。更に、図１４に示されるように、操作部材２５が最も前方に位置された押込み位置では、清掃部材２４が跳上げ位置に位置される。
【００３０】
前記移動機構収容部２１の外板部２１ａには、図５、図６、図９に示すように、操作部材２５の先端側の押圧部２５ａ部分を露出させるようにＵ字状の切欠部２１ｂが設けられている。また、図５、図８、図９にも示すように、前記移動機構収容部２１は、ケース１０の前面部つまり入口部１６側に、操作部材２５の押出し部２５ｂが出し入れされる縦に細長い前面開口２１ｃが形成されている。図７に示すように、前記フィルタカバー１７の閉塞状態では、前記前面開口２１ｃは、該フィルタカバー１７の左辺部によって塞がれるようになっている。
【００３１】
そして、フィルタカバー１７には、押出し部２５ｂつまり前面開口２１ｃに対応した位置に、側面から見て舌片状をなす突片部３４が、後方に突出するように一体に設けられている。これにて、図１２に示すように、フィルタカバー１７の閉塞状態では、突片部３４が押出し部２５ｂに当接して後方に押すことにより、操作部材２５が最も奥側に位置される。この操作部材２５の位置を通常位置という。操作部材２５の通常位置では、清掃部材２４は待機位置に位置している。
【００３２】
この状態から、操作部材２５が前方（矢印Ｄ方向）に移動されると、図１３、図１４に示すように、前記清掃部材２４は矢印Ｃ方向に回動され、最下位置を通って跳上げ位置に至る。この移動と連動して、押出し部２５ｂが突片部３４を前方に押圧することにより、フィルタカバー１７が前方に開放される。図１４に示す操作部材２５の位置を押込み位置という。これに対し、フィルタカバー１７が開放状態から閉塞されると、突片部３４が押出し部２５ｂを後方に押して、操作部材２５が押込み位置から後方に移動し、通常位置に移動され、清掃部材２４は矢印Ｃとは反対方向に回動して待機位置に戻される。
【００３３】
また、図５、図９に示すように、フィルタユニット７のケース１０の左側面部の外板部２１ａには、前側の下部に位置して指掛け凹部３５が設けられている。この指掛け凹部３５は、前記操作部材２５の配置側の側面に位置して、ユーザが該操作部材２５を操作する際に、該操作部材２５を押圧する指、例えば親指とは別の指、例えば人差し指や中指を掛けるためのものとされている。
【００３４】
以上のように構成されたフィルタユニット７は、本体１の取出口９から出し入れ可能に装着される。このとき、フィルタユニット７に設けられる操作部材２５は、通常位置において、フィルタパネル１１よりも下方であって、上下方向に見て前記取出口９の内側に配置されている。本実施形態では、操作部材２５は、前記上部用パッキン２３よりも下方であって、上下方向に見て該上部用パッキン２３の内側に配置されている。後述するフィルタ部材１５の清掃時においては、フィルタユニット７は、洗濯乾燥機の停止状態で、取出口９を通して本体１から上方に取出される。
【００３５】
更に本実施形態では、フィルタユニット７を取り出した際に、前記フィルタカバー１７の不完全な閉塞状態即ちいわゆる半ロック状態にあっても、前記フィルタユニット７を、本体１に装着することに伴い、前記ダクト周囲壁部２０が該フィルタカバー１７を相対的に押圧して、閉塞状態とさせるように構成されている。より具体的には、図１１に示すように、ダクト周囲壁部２０には、後方に凸となる突起部３６が一体に設けられており、フィルタユニット７が本体１に装着された際に、前記突起部３６がフィルタカバー１７のパッキン押え１９部分を相対的に押圧して、閉塞状態とさせるように構成されている。
【００３６】
次に、上記構成の洗濯乾燥機における、主としてフィルタ部材１５の清掃動作について述べる。洗濯乾燥機において、衣類の乾燥、或いは洗濯及び乾燥を行う場合に、ユーザは、ドラム内に衣類を収容し、操作パネル５にて所望のコース設定等を行った上で、運転をスタートさせる。すると、制御装置は、除湿部及び温風供給装置を動作させると共に、ドラムを例えば間欠的に回転させることにより、乾燥運転を実行する。これにて、上記したように、水槽内の空気が、排出口から乾燥風循環ダクト内に吸込まれ、図３に矢印Ａで示すように、上部ダクト８のフィルタユニット７を通る。尚、このような洗濯乾燥機の運転時には、フィルタユニット７の操作部材２５は通常位置に位置され、清掃部材２４は待機位置に位置されている。
【００３７】
この乾燥運転時においては、水槽内から乾燥風循環ダクト内に吸込まれた空気に、衣類から出たリントが含まれるが、そのリントはフィルタユニット７を通る際にフィルタ部材１５により捕獲される。その後、空気はバックアップフィルタ部１２を通り、上部ダクト８から更に乾燥風循環ダクトを流れ、除湿部で除湿された後、ヒータで加熱され、温風となって供給口から水槽内に供給されるといった循環を行う。これにて、水槽つまりドラム内の衣類の乾燥が行われる。ここで、フィルタ部材１５に捕獲されたリントが、それらフィルタ部材１５の表面に堆積していくと、目詰まりして風量が低下する虞がある。そこで、フィルタ部材１５にリントがある程度堆積した場合には、ユーザは、洗濯乾燥機の運転停止状態で、フィルタ部材１５の清掃作業を、次のようにして実行する。
【００３８】
即ち、まず、ユーザは、フィルタパネル１１の上面のフラップ２２を押し込むようにしながら穴部１１ａに手を掛け、フィルタユニット７を取出口９から上方に取出す。尚、フィルタユニット７は、本体１の右側に位置しているため、右手を穴部１１ａに掛けて取出すケースの方が、左手の場合よりも多くなると考えられる。次いで、ユーザは、フィルタユニット７をゴミ箱の上方など位置させ、フィルタユニット７を傾けるようにして入口部１６を下に向ける。そして、図１２に示すような通常位置にある操作部材２５の押圧部２５ａを押し込み操作する。
【００３９】
すると、図１３、図１４に示すように、操作部材２５が押込み位置に向けて矢印Ｄ方向に移動し、清掃部材２４が待機位置から矢印Ｃ方向に回動し、最下位置を通って跳上げ位置に移動するようになる。これと共に、操作部材２５の押出し部２５ｂが、突片部３４を前方に押圧することにより、フィルタカバー１７が前方に開放されようになる。このとき、ユーザは、例えば空いている左手の人差し指や中指を、左側面の指掛け凹部３５に掛け、親指で、操作部材２５を押し込み操作することができる。
【００４０】
上記した清掃動作により、清掃部材２４のブレード３７が、側面から見てフィルタ部材１５の表面に沿って円弧を描くように移動し、フィルタ部材１５の上面に堆積していたリントを掻き取るようになる。掻き取られたリントは、入口部１６から下方に落下し、ゴミ箱に捨てられる。この場合、ブレード３７で掻き取られたリントは、フィルタ部材取付壁１０ａの平滑面１０ｂの上面を滑るようにしながら入口部１６から排出される。これにて、フィルタ部材１５の表面に堆積していたリントが除去されてリント捕獲機能が回復され、乾燥風循環ダクトにおける大きな風量を確保することができる。
【００４１】
この後、ユーザは、開放状態にあるフィルタカバー１７を手で閉塞させる。これにより、フィルタカバー１７の突片部３４が、押出し部２５ｂを押圧して操作部材２５を後方（矢印Ｄとは反対方向）に移動させ、操作部材２５が通常位置に戻される。これに伴い、清掃部材２４が、矢印Ｃとは反対方向に戻り回動し、待機位置に戻される。そして、ユーザは、清掃が終わったフィルタユニット７を、取出口９に対して上方から嵌め込むようにして、本体１に装着する。このとき、フィルタカバー１７の不完全な閉塞状態、つまりいわゆる半ロック状態となっていることが考えらえるが、フィルタユニット７の嵌め込み時に、ダクト周囲壁部２０の突起部３６が、フィルタカバー１７のパッキン押え１９部分を相対的に押圧して、フィルタカバー１７が閉塞状態とされるようになっている。
【００４２】
このように本実施形態によれば、次のような作用・効果を得ることができる。即ち、フィルタユニット７に、清掃部材２４、操作部材２５、移動機構２９等を設け、ユーザが、フィルタユニット７を本体１から取外した状態で、操作部材２５を操作することにより、フィルタ部材１５の清掃動作が行われるように構成した。従って、清掃作業性に優れ、リントを捕獲するフィルタ部材１５の清掃を容易に行うことができる。また、フィルタユニット７に、清掃部材２４や操作部材２５を設けるという比較的簡単な構成で済ませることが可能となる。
【００４３】
このとき、操作部材２５は、フィルタパネル１１よりも下方であって、上下方向に見て取出口９の内側に配置されている。これにて、通常時つまりフィルタユニット７の本体１への装着状態では、操作部材２５は、フィルタパネル１１により隠れて外観に現れることがないので、見た目を良くすることができる。これと共に、フィルタユニット７の本体１への装着状態でユーザが操作部材２５を操作するといった誤操作を防止することができる。操作部材２５が上下方向に見て取出口９の外側に飛び出していないので、フィルタユニット７の本体１に対する装着、取り外し時に、操作部材２５が本体１側つまり取出口９部分に引っ掛かったりすることもなく、スムーズに着脱の作業を行うことができる。
【００４４】
特に本実施形態では、フィルタユニット７には、取出口９との間を気密にシールするための枠状の上部用パッキン２３が設けられており、操作部材２５は、上部用パッキン２３よりも下方であって、上下方向に見て該上部用パッキン２３の内側に配置されている。これにより、上部用パッキン２３により、フィルタユニット７と取出口９との間を気密にシールすることができ、乾燥風の漏れなどを防止することができる。フィルタユニット７の着脱の作業をスムーズに行うことができることは勿論、操作部材２５に関して、見た目を良くすることができると共に、ユーザの誤操作を防止することができる。
【００４５】
本実施形態では、操作部材２５が押込み位置へ向けて操作されると、清掃部材２４の移動と連動してフィルタカバー１７がいわば自動で開放されるように構成されているので、ユーザの手間を省いて、入口部１６からリントを排出可能な状態とすることができる。また、フィルタカバー１７を閉塞状態に変位させれば、いわば自動で、清掃部材２４及び操作部材２５を元の位置に戻すことができる。従って、ユーザの手間を省いて、使い勝手の良いものとすることができる。
【００４６】
しかも、フィルタカバー１７の閉塞が完全でないいわゆる半ロック状態であったとしても、フィルタユニット７が本体１に装着されることに伴い、フィルタカバー１７が閉塞状態とされるようになる。従って、ユーザは、フィルタカバー１７が完全に閉塞したかどうかを気にすることなく本体１に装着する操作を行うことができ、使いやすいものとすることができる。フィルタカバー１７に設けられた風路用パッキン１８により、乾燥風循環ダクトの気密状態が良好に保持されることは勿論である。このとき、ダクト周囲壁部２０に一体に設けられた突起部３６が、フィルタカバー１７を相対的に押圧して、閉塞状態とさせるように構成したので、簡単な構成でありながら、確実にフィルタカバー１７を閉塞状態とすることができる。
【００４７】
そして、本実施形態では、フィルタユニット７のケース１０に、操作部材２５を押圧する指とは別の指を掛けるための指掛け凹部３５を設けるようにした。これにより、ユーザが、指掛け凹部３５に指を掛け、その部分を支点として別の指で操作部材２５を押圧することができ、その際に押圧する指に力を入れやすく、スムーズに操作部材２５の操作を行うことができる。指掛け凹部３５を、操作部材２５の押圧部２５ａよりも下側で、且つ、入口部１６側に位置して設けたので、押圧部２５ａと指掛け凹部３５との位置関係が、ユーザにとって操作しやすく且つ力を入れやすい配置になり、より効果的となる。
【００４８】
また本実施形態では、フィルタユニット７が本体１の中央よりも右側に配置されていると共に、操作部材２５をフィルタユニット７のケース１０の左側面に設けたので、フィルタユニット７をユーザが右手で取った場合には、操作部材２５が左手で操作しやすい位置にくる。従って、ユーザは、フィルタユニット７を取出した状態で、左右の手で持ち替えるといったことをせずに、清掃の操作をスムーズに行うことができる。
【００４９】
尚、本実施形態では、上記に加えて、以下のような作用・効果も得ることができる。即ち、清掃部材２４の支持体２６を矩形枠状に構成し、清掃部材２４が前方の最下位置等に位置された状態でも、入口部１６側から出口部側に連通する開口部２６ａを設けるようにした。このとき、清掃部材２４は、ケース１０内に配置されるため、ケース１０内のうち清掃部材２４の奥等のいわば死角となる部分に、リントを含む汚れがたまる等の虞がある。ところが、ユーザが、例えば清掃部材２４を最下位置に位置させた状態で、ブラシ等の清掃具を、清掃部材２４の開口部２６ａを通して、ケース１０内の奥に差し込んで清掃する等、ケース１０の清掃性に優れたものとすることができる。
【００５０】
開口部２６ａを、清掃部材２４の中央部に位置して設けたので、清掃部材２４の端部に開口部が設けられている場合と比べて、上記清掃具を広い範囲に届かせることができるようになり、清掃性をより高いものとすることができる。形状的に清掃部材２４の剛性を確保することができることは勿論である。
【００５１】
本実施形態では、清掃部材２４は、回動軸を中心に回動するように構成すると共に、フィルタパネル１１には、回動軸部分の入口部側に配置される突出壁３８を設けるようにした。これにより、清掃部材２４の回動による効率的な清掃作業を行うことが可能となると共に、前方に突出壁３８が配置されていることにより、回動軸部分にリントや埃等が侵入し、堆積することを抑制することができる。ケース１０とフィルタパネル１１との間の接合部分に、風漏れ防止用の内部パッキン３９を設けるようにしたので、その接合部分に、リントが堆積したり、乾燥風が漏れたりすることを防止する効果により優れたものとなる。
【００５２】
また本実施形態では、ケース１０に設けられ移動機構２９を有する移動機構収容部２１の入口部１６側に、前面開口２１ｃが設けられていると共に、フィルタカバー１７の閉塞状態では、移動機構収容部２１の前面開口２１ｃが該フィルタカバー１７により塞がれるように構成した。これにより、通常の運転中であるフィルタカバー１７の閉塞状態では、前面開口２１ｃがフィルタカバー１７により塞がれ、移動機構収容部２１内にリントや埃等が侵入することを防止することができる。
【００５３】
本実施形態では、ケース１０のフィルタ部材取付壁１０ａのうち、清掃部材２４のブレード２７による掻き取り範囲である回動軌跡Ｌから外れた部分は、フィルタ部材１５が存在しない平滑面１０ｂとされている。これにより、フィルタ部材１５は、清掃部材２４による掻き取り範囲に存在するので、フィルタ部材１５に堆積したリントを確実に清掃することが可能となる。そして、フィルタ部材取付壁１０ａのうち、掻き取り範囲から外れた部分が平滑面１０ｂとされることにより、その平滑面１０ｂ部分を通して溜まったリントを容易に排出することも可能となる。
【００５４】
更に本実施形態では、清掃部材２４のブレード２７の肉厚を、駆動側つまり回動軸２８側で比較的薄く、駆動側から離れるに従って次第に厚くなるように構成した。ここで、清掃部材２４のブレード２７のうち、駆動側では力の伝達が大きいので、掻き取りの能力も大きくなり、駆動側から離れるに従って、力が伝達されにくくなり、掻き取りの能力が次第に小さくなる傾向にある。ブレード２７の肉厚を、駆動側で薄く、駆動側から離れた側が厚くなるように構成することにより、ブレード２７の幅方向全体に渡って、ほぼ均等な力でフィルタ部材１５の表面のリントの掻き取りを行うことが可能となり、清掃が不均等になることを未然に防止することができる。
【００５５】
図１７は、第２の実施形態を示すものであり、清掃部材２４に設けられるブレード４１の断面構成を示している。この第２の実施形態においても、ブレード４１の板状部の肉厚が、駆動側で薄く、駆動側から離れた側が厚くなるのであるが、この場合、肉厚が図で右に行くほど複数段階で大きくなるように構成されている。これによっても、ブレード４１の幅方向全体に渡って、ほぼ均等な力でフィルタ部材１５の表面のリントの掻き取りを行うことが可能となる。
【００５６】
尚、上記した各実施形態に限定されるものではなく、図示は省略するが、例えば以下のような拡張、変更も可能である。上記第１の実施形態では、フィルタカバー１７の閉塞が完全でないいわゆる半ロック状態であった場合でも、フィルタユニット７が本体１に装着されることに伴い、フィルタカバー１７を閉塞状態とするための構成として、ダクト周囲壁部２０に突起部３６を設け、フィルタカバー１７を相対的に押圧する構成としたが、フィルタカバー１７側に、前方に凸となる凸形状のリブを設け、フィルタユニット７の本体１への装着時に、そのリブがダクト周囲壁部２０を相対的に押圧して、フィルタカバー１７を閉塞状態とさせるように構成しても良い。これによっても、簡単な構成で、確実にフィルタカバー１７を閉塞状態とすることができる。
【００５７】
また、上記実施形態では、フィルタユニット７が本体１の中央よりも右側に配置される構成としたが、フィルタユニット７が本体１の中央よりも左側に配置される構成としても良い。このとき、操作部材２５を、ケース１０の右側面に設けることが望ましい。フィルタユニット７をユーザが左手で取った場合には、右手で操作しやすい位置であるケース１０の右側面に操作部材２５を設けることにより、ユーザは、フィルタユニット７を取出した状態で、左右の手で持ち替えるといったことをせずに、清掃の操作をスムーズに行うことができる。
【００５８】
上記各実施形態では、ブレード２７の先端の掻き取り部２７ａを、フィルタ部材取付壁１０ａの幅方向全体に延びるフラットな形状としたが、フィルタ部材取付壁１０ａの縦方向のリブに対応する部分を切欠いた形態にすることができる。言い換えれば、フィルタ部材１５の幅方向に見て露出した、つまりリブの存在しない各領域に対応して、幅方向に複数の単位ブレードを並べて配置する構成とすることができる。フィルタ部材取付壁１０ａのリブにより、リントが分断されて掻き出されやすくなる。フィルタ部材１５の各領域に対し、夫々１つの単位ブレードがあれば、リントの掻き取りは可能となる。
【００５９】
また上記のようにリブ間に対応した複数の単位ブレードを並べて設ける場合、各単位ブレードの幅寸法を、リブ間に位置するフィルタ部材１５の一領域の幅寸法に対し、小さく構成することができる。これにより、各単位ブレードの摺動抵抗を下げ、操作部材の操作力を小さく抑えることができる。フィルタ部材１５の幅方向の複数の領域においては、中央部でブレードの摺動抵抗が大きくなり、両端部側で摺動抵抗が小さくなる事情がある。そのため、各単位ブレードの構成として、フィルタ部材１５の中央部側で、摺動抵抗を下げる形状、例えば弾性を下げる、長さを短くする、厚みを大きくする、幅を小さくする等の形状とすることができる。両端部側では、それとは逆に摺動抵抗を大きくする形状とすることができる。
【００６０】
上記実施形態では、清掃部材２４の支持体２６の開口部２６ａを支持体２６の中央部に設けるようにしたが、支持体を例えば正面「エ」字状に設け、清掃部材の左右両側に開口部を設ける構成としても良い。このように、開口部を設ける位置や形状などは適宜変更することができる。また、上記した清掃部材２４にあっては、ゴム製のブレード２７、４１を備える構成としたが、ブレードに代えて、ブラシ状のもの、スポンジ状のもの、繊維を束ねたモップ状のものなどであっても良い。清掃部材を、回動ではなく直線的に往復スライド移動させることにより、平面的に配置されたフィルタ部材を清掃するように構成しても良い。
【００６１】
フィルタカバー１２又は移動機構収容部２１には、フィルタカバー２１の閉塞状態で、移動機構収容部２１の前面開口２１ｃの周囲をシールする移動機構収容部用のパッキンを設けるようにしても良い。これによれば、移動機構収容部２１内へのリントや埃等の侵入を、より確実に防止することができる。更に、フィルタ部材１５の目詰り状態を判定する目詰り判定手段を設け、目詰り判定手段によりフィルタ部材１５の目詰りが大きくなったと判定されたときに、ユーザに報知して、フィルタ部材１５の清掃を行うことを促す構成としても良い。
【００６２】
その他、洗濯乾燥機としては、ドラム式のものに限らず、水槽および回転槽の軸線が上下方向に指向する、いわゆる縦軸型のものでも良い。また、衣類乾燥機としては、洗濯機能を備えていない構成のものであっても良い。また、除湿手段としてヒートポンプ（冷凍サイクル）を備えるものであっても良いし、除湿手段を備えない温風供給装置としても良い。乾燥風循環ダクトの構成としても様々な変更が可能である。上記各実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００６３】
図面中、１は外箱、７はフィルタユニット、８は上部ダクト、９は取出口、１０はケース、１０ａはフィルタ部材取付板、１０ｂは平滑面、１１はフィルタパネル、１５はフィルタ部材、１６は入口部、１７はフィルタカバー、１８は風路用パッキン、２０はダクト周囲壁部、２１は移動機構収容部、２１ｃは前面開口、２３は上部用パッキン、２４は清掃部材、２５は操作部材、２５ａは押圧部、２５ｂは押出し部、２６は支持体、２６ａは開口部、２７、４１はブレード、２７ａは掻き取り部、２８は回動軸、２９は移動機構、３４は突片部、３５は指掛け凹部、３６は突起部、３８は突出壁、３９は内部パッキンを示す。
【図１】
2019030507.tif 000003
【図２】
2019030507.tif 000004
【図３】
2019030507.tif 000005
【図４】
2019030507.tif 000006
【図５】
2019030507.tif 000007
【図６】
2019030507.tif 000008
【図７】
2019030507.tif 000009
【図８】
2019030507.tif 000010
【図９】
2019030507.tif 000011
【図１０】
2019030507.tif 000012
【図１１】
2019030507.tif 000013
【図１２】
2019030507.tif 000014
【図１３】
2019030507.tif 000015
【図１４】
2019030507.tif 000016
【図１５】
2019030507.tif 000017
【図１６】
2019030507.tif 000018
【図１７】
2019030507.tif 000019